(57)【要約】      （修正有）【課題】箱本体から容易に切離できる表示片を有し、箱体形成片の面積も小さく抑えることができる表示片付き包装箱を提供する。【解決手段】一枚のブランクシートから一体的に打ち抜かれた箱体形成片１２から成り、互いに平行に連接された第一乃至第四側面１４，１６，１８，２０と、第一側面１２の端部に延設された、他方の端部に糊付けして筒体に組み立てる糊付け片２２とを有する。第二側面１６の端部に、内容物に関する情報が印刷されたサイドフラップである表示用フラップ５４を備える。第四側面２０の端部に、サイドフラップ７８を備える。第三側面１８の端部に、筒体の一端を塞ぐための上蓋片６６を備える。第二側面１６の内側に、指で押圧可能な大きさの押圧部５８が、表示用フラップ５４の基端部の両端を起点とするＵ字状の第一破断線６０に囲まれて設けられている。【選択図】図２
0003188354.tif 000002
【実用新案登録請求の範囲】
【請求項１】
一枚のブランクシートから一体的に打ち抜かれた箱体形成片から成り、この箱体形成片は、互いに平行に連接された４つの側面と、前記側面の連接方向の一方の端部に延設され、他方の端部に糊付けして筒体に組み立てる糊付け片とを有し、
前記４つの側面のうち、前記筒体の状態で互いに対向する２つの前記側面には、前記連接方向に対して直角方向の端部に、サイドフラップがそれぞれ延設され、前記サイドフラップのうち少なくとも一方は、内容物に関する情報が印刷された表示用フラップであり、前記筒体の状態で前記サイドフラップが設けられた前記側面と隣接する前記側面には、前記サイドフラップと隣接する端部に、前記筒体の一端を塞ぐための蓋片が延設され、前記表示用フラップが延設された前記側面の内側には、指で押圧可能な大きさの押圧部が、前記表示用フラップの基端部の両端を起点とするＵ字状の第一破断線に囲まれて設けられ、
前記第一破断線を破断することによって、前記筒体から前記表示用フラップ及び前記押圧部を一体に切り離し、表示片として使用できることを特徴とする表示片付き包装箱。
【請求項２】
前記糊付け片の延設方向の端部に第二破断線を介してカード片が設けられ、前記カード片は、１つ以上の第三破断線を介して複数のカード部に区切られ、
前記カード片は前記４つの側面の中の一側面の裏面に重ねられ、前記カード片が重ねられる前記側面には、前記複数のカード部の中の１つである第一カード部に糊付けされたカード部が第四破断線で囲まれて設けられ、前記外装カード部は前記第一カード部よりも小形であり、
前記カード部と前記第二カード部には、内容物に関する情報が印刷され、前記第二乃至第四破断線を破断することによって、前記筒体から前記第一及び第二カード部を一体に切り離し、表示片として使用できると共に、前記筒体から前記第一カード部以外の前記カード部を切り離し、表示片として使用できる請求項１記載の表示片付き包装箱。
【請求項３】
前記カード片の端部には、前記筒体の一方の開口部から外側に突出する摘み部が折罫線を介して設けられている請求項２記載の包装用箱。
【考案の詳細な説明】
【技術分野】
【０００１】
この考案は、内容物に関する情報が印刷された表示片が箱体形成片と一体に設けられた包装箱に関する。
【背景技術】
【０００２】
従来、医薬品や食品等の商品を収容して店頭に陳列するための包装箱には、商品についての内容説明、使用方法、使用期限、製造番号等の複数の情報が印刷されている。
【０００３】
商品がＰＴＰシートに入った医薬品の場合、病院等では、入荷した複数種類の医薬品を包装箱から取り出し、それぞれＰＴＰシートの状態で調剤棚に収納して保管されることが多い。そこで、ＰＴＰシートを包装箱に印刷された情報に対応づけて保管するため、包装箱の特定の部分（必要な情報が印刷されている部分）を切り取り、ＰＴＰシートに添付して保管したり、調剤棚に貼り付けて表示したりすることが行われている。
【０００４】
従来、例えば特許文献１に開示されているように、内容物に関する必要な情報を印刷した部分を設け、カード片として切り離し可能にした包装用箱があった。この包装用箱は、一枚のブランクシートから一体的に打ち抜かれた箱体形成片から成る。箱体形成片には、互いに平行に連接された側面と、側面同士を糊付けして筒体に組み立てる糊付け片と、糊付け片の連接方向の端部に破断線を介して連接して設けられている第１カード片が設けられている。第１カード片は前記一側面の裏面に重ねられ、第１カード片が重ねられる側面には、第１カード片に糊付けされた第２カード片が破断線で囲まれて設けられ、第２カード片は前記第１カード片よりも小形であり、前記第１カード片と前記第２カード片には、内容物に関する情報が印刷されている。第１及び第２カード片は、上記２つの破断線を破断することによって筒体から一体に切り離すことができ、１つのカードとして使用できる。
【先行技術文献】
【特許文献】
【０００５】
【特許文献１】登録実用新案第３１７２６４９号公報
【考案の概要】
【考案が解決しようとする課題】
【０００６】
特許文献１の包装用箱の場合、カードの主要部分である第１カード片は、箱の本体部分（側面、糊付け片、蓋片、フラップ等）に付加する形で設けられている。したがって、第１カード片を設けることによって、箱体形成片の面積が大きくなり、コストアップになるという問題があった。
【０００７】
また、１つの包装箱には製品名や使用期限等の複数の情報が印刷されており、例えば上述した病院等での使用される場合、複数の情報を調剤棚の異なる場所に別々に表示したいケースがある。しかし、特許文献１の包装箱はカードが１つなので、２つ目の表示片を得るためには、包装箱の他の部分をハサミで切り取ったりしなければならず、面倒であった。
【０００８】
本考案は、上記背景技術に鑑みて成されたものであり、箱本体から容易に切離できる表示片を有し、箱体形成片の面積も小さく抑えることができる表示片付き包装箱を提供することを目的とする。
【課題を解決するための手段】
【０００９】
本考案は、一枚のブランクシートから一体的に打ち抜かれた箱体形成片から成り、この箱体形成片は、互いに平行に連接された４つの側面と、前記側面の連接方向の一方の端部に延設され、他方の端部に糊付けして筒体に組み立てる糊付け片とを有し、
前記４つの側面のうち、前記筒体の状態で互いに対向する２つの前記側面には、前記連接方向に対して直角方向の端部に、サイドフラップがそれぞれ延設され、前記サイドフラップのうち少なくとも一方は、内容物に関する情報が印刷された表示用フラップであり、前記筒体の状態で前記サイドフラップが設けられた前記側面と隣接する前記側面には、前記サイドフラップと隣接する端部に、前記筒体の一端を塞ぐための蓋片が延設され、前記表示用フラップが延設された前記側面の内側には、指で押圧可能な大きさの押圧部が、前記表示用フラップの基端部の両端を起点とするＵ字状の第一破断線に囲まれて設けられ、
前記第一破断線を破断することによって、前記筒体から前記表示用フラップ及び前記押圧部を一体に切り離し、表示片として使用できる表示片付き包装箱である。
【００１０】
さらに、前記糊付け片の延設方向の端部に第二破断線を介してカード片が設けられ、前記カード片は、１つ以上の第三破断線を介して複数のカード部に区切られ、前記カード片は前記４つの側面の中の一側面の裏面に重ねられ、前記カード片が重ねられる前記側面には、前記複数のカード部の中の１つである第一カード部に糊付けされたカード部が第四破断線で囲まれて設けられ、前記外装カード部は前記第一カード部よりも小形であり、
前記カード部と前記第二カード部には、内容物に関する情報が印刷され、前記第二乃至第四破断線を破断することによって、前記筒体から前記第一及び第二カード部を一体に切り離し、表示片として使用できると共に、前記筒体から前記第一カード部以外の前記カード部を切り離し、表示片として使用できる。この場合、前記カード片の端部には、前記筒体の一方の開口部から外側に突出する摘み部が折罫線を介して設けられていることが好ましい。
【考案の効果】
【００１１】
本考案の表示片付き包装箱によれば、商品に関する情報を印刷した一般的なサイドフラップを表示用フラップとして取り扱い、表示用フラップを筒体から切り離して第一表示片として使用する構成なので、箱体形成片の面積を大きくすることなく第一表示片を得ることができる。表示用フラップは、Ｕ字状の第一破断線に囲まれた押圧部を指で押すことにとって容易に切り離すことができる。そして押圧部は、表示用フラップと一体に切り離されて第一表示片の一部となり、例えば、調剤棚等に粘着テープ等で貼り付けるときの貼り付け代として使用できるので非常に便利である。
【００１２】
また、上記の構成に加え、所定の第一乃至第二カード部及び第二乃至第四破断線を設けることによって、箱体形成片の面積がさほど大きくならない範囲で、第一表示片の他に複数の表示片を得ることができる。
【図面の簡単な説明】
【００１３】
【図１】本考案の表示片付き包装箱の一実施形態の組み立て状態を示す図であって、第二及び第三側面の側から見た斜視図（ａ）、第一及び第四側面の側から見た斜視図（ｂ）である。
【図２】この実施形態の表示片付き包装箱の展開図である。
【図３】この実施形態の表示片付き包装箱を開封した状態を示す斜視図（ａ）、筒体から第一表示片を切り離した状態を示す斜視図（ｂ）である。
【図４】この実施形態の表示片付き包装箱の筒体からカード片を切り離す操作を説明する斜視図（ａ）、カード片を第二表示片と第三表示片に切り離した状態を示す斜視図（ｂ）である。
【図５】第一、第二及び第三表示板の使用方法の例を示す図（ａ），（ｂ）である。
【考案を実施するための形態】
【００１４】
以下、本考案の表示片付き包装箱の一実施形態について、図面に基づいて説明する。この実施形態の表示片付き包装箱１０は、図１に示すように、略直方体の箱体であり、厚紙等の一枚のブランクシートを打ち抜いた箱体形成片１２を組み立てることによって形成される。
【００１５】
図２は、箱体形成片１２を表面から見た展開図であり、箱体形成片１２は、互いに平行に連接された第一側面１４、第二側面１６、第三側面１８、第四側面２０を有している。４つの側面１４，１６，１８，２０は、連接している幅方向の長さは同じであり、連接方向の長さは第一及び第三側面１４，１８が長くて互いにほぼ等しく、第二及び第四側面１６，２０が短くて互いにほぼ等しい。第一側面１４側の端部には、包装用箱１０の組立状態で第四側面２０側の端部の裏面に糊付けされる糊付け片２２が設けられている。糊付け片２２、４つの側面１４，１６，１８，２０は、各々折罫線２４，２６，２８，３０で区切られている。
【００１６】
糊付け片２２は、折罫線２４から離れるにしたがって幅が狭くなる台形に形成されている。糊付け片２２の折罫線２４と反対側の端部には、カード片３２が第二破断線３４で区切られて設けられている。カード片３２は、連接方向の幅方向に長い矩形であり、第二破断線３４と交差する第三破断線３６を介して第一カード部３８とその他のカード部４０とに区切られている。カード片３２及び糊付け片２２を合わせた大きさは、箱体形成片１２の組み立て状態で糊付け片２２が糊付けされる側面２０よりも小さいものである。カード片３２の、第二破断線３４に交差する一方の側縁部には、摘み部４２が折罫線４４を介して設けられている。摘み部４２は、半円状に外側へ向かって膨出する形状である。
【００１７】
第一側面１４の、４つの側面１４，１６，１８，２０の連接方向と直角な２つの端部１４ａ，１４ｂの中央付近に、それぞれ矩形の糊付け部４６，４８が設けられている。糊付け部４６は、端部１４ａに連続するコの字形の開封用破断線５０で囲まれて周囲と区切られ、糊付け部４８は、端部１４ｂに連続するコの字形の開封用破断線５５で囲まれて周囲と区切られている。
【００１８】
第二側面１６の、第二側面１４の端部１４ａに連続する端部には、台形状のサイドフラップである表示用フラップ５４が折罫線５６で区切られて設けられている。表示用フラップ５４の基端部から先端部までの長さは、例えば第一側面１４の端部１４ａの長さの約４／５である。第二側面１６内側の、表示用フラップ５４側の端部には、指で押圧可能な大きさの押圧部５８が設けられている。押圧部５８は、折罫線５６の基端部の両端を起点とするＵ字状の第一破断線６０に囲まれて周囲と区切られている。また、第二側面の、折罫線５６と反対側の端部には、表示用フラップ５４とほぼ同形状のサイドフラップ６２が折罫線６４で区切られて設けられている。
【００１９】
第三側面１８の、第二側面１６の折罫線５６に連続する端部には、略矩形の上蓋片６６が折罫線６８で区切られて設けられている。上蓋片６６の、折罫線６８と反対側の端部には、差し込み片６９が折罫線７０で区切られて設けられている。また、第三側面板１８の、折罫線６８と反対側の端部には、上蓋片６６とほぼ同形状の下蓋片７２が折罫線７４で区切られて設けられている。下蓋片７２の、折罫線７４と反対側の端部には、差し込み片７５が折罫線７６で区切られて設けられている。
【００２０】
第四側面２０の、第三側面１８の折罫線６８に連続する端部には、台形状のサイドフラップ７８が折罫線８０で区切られて設けられている。サイドフラップ７８の基端部から先端部までの長さは、例えば第一側面１４の端部１４ａの長さの約１／２である。第四側面２０の、折罫線８０に近い部分には、略矩形の第二カード部８２が設けられている。第二カード部８２は、第四破断線８４で囲まれて形成されている。第四側面２０の折罫線８０と反対側の端部には、サイドフラップ７８とほぼ同形状のサイドフラップ８６が折罫線８８で区切られて設けられている。
【００２１】
箱体形成片１２の表面には、内容物の名前や広告等の情報が印刷されている。例えば、表示用フラップ５４には、開封した使用者に対して注意を喚起するための文言等が印刷され、カード部４０には、製品名（又は使用者が読むべき商品の詳しい情報等）が印刷されている。第二カード部８２は、後の商品を包装する工程で、例えば使用期限（又は商品の製造番号等）が印刷される。
【００２２】
次に、表示片付き包装箱１０の組み立て方法の一例を説明する。ここでは、箱体形成片１２の表面が凸になる折り方を正折り、そして裏面が凸になる折り方を逆折りと称する。
【００２３】
まず、図２に示すように、糊付け片２２及び第一カード部３８の表面に、糊９０，９２を塗付する。そして、折罫線２６を正折りし、折罫線３０を正折りする。これにより、糊付け片２２の表面は糊９０により第四側面２０の裏面の連接方向の側縁部近傍に糊付けされ、第一カード部３８の表面は糊９２により第四側面２０の第二カード部８２の裏面に糊付けされる。箱体形成片１２は、折り畳み状態となり、この状態で出荷される。
【００２４】
次に商品を収容して包装する工場等において、折罫線２４，２６，２８，３０を各々９０°に正折りして四角形の筒体９４にする。そして、折罫線６４，８８でサイドフラップ６２，８６を各々９０°に正折りし、折罫線７４で下蓋片７２を９０°に正折りし、差し込み片７５を折罫線７６で正折りし、差し込み片７５を第一側面１４の内側に差し込み、糊９６により糊付け部４８に糊付けし、箱体の底部が形成される。
【００２５】
ここまで組み立てられると、箱体の中に商品を入れる。そして折罫線５６，８０で表示用フラップ５４とサイドフラップ７８を各々９０°に正折りし、折罫線６８で上蓋片６６を９０°に正折りし、差し込み片６９を折罫線７０で正折りし、差し込み片６９を第一側面１４の内側に差し込み、糊９８により糊付け部４６に糊付けし、箱体の蓋部が形成される。このとき、カード片３２の摘み部４２は、箱体の蓋部に押されて折罫線４４で９０°に正折りされ、収容される。これで商品の包装作業が終了し、図１に示す組み立て状態になる。
【００２６】
表示片付き包装箱１０を開封するときは、図３（ａ）に示すように、第一側面１４の糊付け部４６を押して開封用破断線５０を切断し、上蓋片６６を上方に引き上る。糊付け部４６は、差し込み片６９に貼り付いたまま第一側面１４から分離する。
【００２７】
また、各表示片の分離は、第二側面１６の押圧部５８を押して第一破断線６０を切断し、表示用フラップ５４及び押圧部５８により構成された第一表示片１００を筒体９４から切り離す。また、カード片３２の切り離しは、摘み部４２を指で摘まんで第四側面２０から離すように引くと、図４に示すように、第二破断線３４が切断され、カード片３２が糊付け片２２から分離する。このとき、第四側面２０の第二カード部８２が糊９２で第一カード部３８に糊付けされているため、第二破断線３４が切断される際に第四破断線８４も切断され、第二カード部８２は第一カード部３８に貼りついたまま第四側面２０から分離する。その結果、カード片３２と第二カード部８２とが一体に筒体９４から切り離される。
【００２８】
さらに、カード片３２の第三破断線３６を切断すると、第二カード部８２、第一カード部及び摘み部４２が一体になった第二表示片１０２と、カード部４０で成る第三表示片１０４とが得られる。
【００２９】
次に、表示片付き包装箱１０を、病院等に納める医薬品の包装箱に適用した場合の使用方法の例を説明する。病院等の調剤室には、例えば図５に示すように、複数種類の医薬品を整理して保管する調剤棚１０６が設けられている。調剤棚１０６は、内側の空間が格子状に仕切られており、個々の空間の床部に小さい引き出し１０８が設けられ、引き出し１０８の上に、表示片付き包装箱１０を開封して取り出した医薬品が、ＰＴＰシートに入った状態で置かれている。右端の上から３段目の空間には、引き出し１０８(1)が設けられ、その上に、製品名が「ＡＢＣＤＥ」であるＰＴＰシート１１０(1)a，１１０(1)bが、それぞれゴム輪等で束ねて置かれている。
【００３０】
ＰＴＰシート１１０(1)ａは、ある表示片付き包装箱１０(1)ａから取り出したものである。表示片付き包装箱１０(1)ａの第一表示片１００(1)ａには、「100mg品、複数規格あり」の文字が印刷され、子供用の50mg品と間違えないように注意を喚起する表示が記載されている。カード片３２(1)aの第二表示片１０２(1)ａには、使用期限を示す日付「2013.12.31」が印刷され、第三表示片１０４(1)aには、製品名である「ＡＢＣＤＥ」の文字が印刷されている。
【００３１】
ＰＴＰシート１１０(1)ｂは、上記とは別の表示片付き包装箱１０(1)ｂから取り出したものである。表示片付き包装箱１０(1)ｂの第一表示片１００(1)ｂには、上記と同じ「100mg品、複数規格あり」の文字が印刷されている。カード片３２(1)bの第二表示片１０２(1)bには、使用期限を示す日付「2013.09.30」が印刷され、第三表示片１０４(1)bには、製品名である「ＡＢＣＤＥ」の文字が印刷されている。使用期限から分かるように、ＰＴＰシート１１０(1)bは、ＰＴＰシート１１０(1)aより前に製造されたものなので、ＰＴＰシート１１０(1)bの方からから順番に使用する必要がある。
【００３２】
第一表示片１００(1)a，１００(1)bは、右端の上から３段目の空間の天井仕切り板に、粘着テープ等で貼り付けられている。これに対応して、右端の上から４段目の空間の天井仕切り板には、他の第一表示板１１０(2)が貼り付けられ、「50mg品、複数規格あり」と表示することによって、大人用の100mg品と間違えないように注意を喚起している。なお、第一表示片１００(1)a，１００(1)bは同じ内容なので、いずれか一方の表示片を貼り付ければよく、他方は廃棄するか他の用途に使用することができる。
【００３３】
第二表示片１０２(1)a及び第三表示片１０４(1)aは、カード片３２(1)aの状態のまま、未使用のＰＴＰシート１１０(1)aと一緒に束ねて保管されている。
【００３４】
ＰＴＰシート１１０(1)bは、既に半分ほど使用されており、シートから切り離された端数部分が、第二表示片１０２(1)bと共に引き出し１０８(1)の中に入れて保管されている。これによって、端数部分の使用期限も正確に管理することができる。引き出し１０８(1)が大きいときは、端数部分だけでなく、束ねたＰＴＰシート１１０(1)bも引き出し１０８(1)の中に入れて保管するとよい。第三表示片１０４(1)bは、引き出し１０８(1)の上部に貼り付けられ、製品名「ABCDE」を表示するネームプレート１１２として使用される。
【００３５】
以上説明したように、表示片付き包装箱１０によれば、商品に関する情報を印刷した一般的なサイドフラップを表示用フラップ５４として取り扱い、表示用フラップ５４を筒体９４から切り離して第一表示片１００として使用する構成なので、箱体形成片１２の面積を大きくすることなく、第一表示片１００を得ることができる。表示用フラップ５４は、Ｕ字状の第一破断線６０に囲まれた押圧部５８を指で押すことにとって容易に切り離すことができる。そして押圧部５８は、表示用フラップ５４と一体に切り離されて第一表示片１００の一部となり、例えば調剤棚１０６に粘着テープ等で貼り付けるときの貼り付け代として使用できるので、非常に便利である。
【００３６】
また、上記の構成に加え、３つのカード部３８，４０，８２、及び第二乃至第四破断線３４，３６，８４を設けることによって、箱体形成片１２の面積がさほど大きくならない範囲で、第一表示片１００以外に２つの表示片１０２，１０４を得ることができる。
【００３７】
ここで、表示片付き包装箱１０は、開封後、３つの表示片１００，１０２，１０４を切り離すと、上蓋片６６を再封したときに、筒体９４の押出部５８が無くなった部分と第二カード部８２の部分が無くなった部分とが開口してしまうので、商品を保護する機能がやや低下するが、病院等で使用される医薬品の包装箱のように、開封後にすぐに廃棄されるケースでは、特に問題にならない。
【００３８】
なお、本考案の表示片付き包装箱は、上記実施形態に限定されるものではない。例えば、表示片付き包装箱１０において、３つの表示片１００，１０２，１０４に印刷される内容は自由に変更することができる。例えば、第一表示片１００に製品名を印刷し、第三表示片１０２に注意喚起の文言を印刷するようにしてもよい。
【００３９】
表示片が４つ以上必要な時は、カード片３２に複数の第三破断線を設け、第一表示片１００以外に３つ以上の表示片が得られるようにしてもよい。反対に、第一表示片１００だけで足りるときは、カード片３２を省略することができる。また、その他のサイドフラップ７８，６２，８６を表示片として使用してもよい。
【００４０】
各部材の形状等自由に変更可能である。また、表示用フラップ、カード部の印刷は両面印刷でもよく、両面印刷することにより多くの情報を印刷することができる。また、組み立て状態で４つの側面の中のカード片が配される位置、形状、大きさ等は自由である。
【符号の説明】
【００４１】
１０  表示片付き包装箱
１２  箱体形成片
１４  第一側面
１６  第二側面
１８  第三側面
２０  第四側面
２２  糊付け片
３２  カード片
３４  第二破断線
３６  第三破断線
３８  第一カード部
４０  カード部
４２  摘み部
５４  表示用フラップ（サイドフラップ）
５８  押圧部
６０  第一破断線
６６  上蓋片
７８  サイドフラップ
８２  カード部
８４  第四破断線
９４  筒体
１００  第一表示片
１０２  第二表示片
１０４  第三表示片
【図１】
0003188354.tif 000003
【図２】
0003188354.tif 000004
【図３】
0003188354.tif 000005
【図４】
0003188354.tif 000006
【図５】
0003188354.tif 000007